(57)【要約】【課題】  湿式スプリンクラー設備に設けられる二次側配管への給水の遮断手段を有する流水検知装置において、構造がシンプルで安価であり、前記遮断手段の設置スペースを給水配管上に必要としないで、既設のスプリンクラー設備に設置されている流水検知装置と簡単に交換でき、また二次側への通水を停止する遮断手段の異常を監視可能な流水検知装置の提供。【解決手段】  遮断手段を、流水検知装置３の弁体１５の開閉動作の軌道上または軌道延長上に設けたピストン１９と、該ピストン１９が内部を摺動自在であり、壁面に外部に連通する小孔を有するシリンダー１７と、シリンダー１７内への加圧手段から構成し、シリンダー１７内に加圧流体を導入することでピストン１９を弁体１５に作用させ弁体１５を弁座に着座させることで二次側配管への給水を遮断する。また二次側への給水遮断が解除された際に、二次側へ給水が再開されたかどうかを検知可能な構成とした。【選択図】    図２
2004243105.tif 000002
【特許請求の範囲】
【請求項１】
湿式の消火設備に設けられる開閉弁であって、その内部は給水側に接続される一次側室と、スプリンクラーヘッド側に接続される二次側室とが隔壁によって仕切られており、隔壁には連通口が穿設され、該連通口には開閉自在な弁体が載置されており、流体が一次側から二次側へ流することで生じる現象を検出して流水を検知する流水検知装置において、スプリンクラーヘッドが誤作動した際に、設備配管内の水圧力を利用して前記弁体を閉位置に強制固定させて前記スプリンクラーヘッドへの給水を遮断する遮断手段が設けられたことを特徴とする流水検知装置。
【請求項２】
前記流水検知装置の遮断手段は、流水検知装置の弁体の開閉動作の軌道上または軌道延長上に設けたピストンと、該ピストンが内部を摺動自在であり、壁面に外部に連通する小孔を有するシリンダーと、シリンダー内への加圧手段から構成し、シリンダー内に加圧流体を導入することでピストンを弁体に作用させ、弁体を弁座に着座させることを特徴とする請求項１記載の流水検知装置。
【請求項３】
前記流水検知装置の遮断手段は、流水検知装置の弁体の開閉動作の軌道上または軌道延長上に設けたピストンと、該ピストンが内部を摺動自在であり、壁面に外部に連通する小孔を有するシリンダーと、シリンダー内への加圧手段から構成し、シリンダー内に設置されたピストンに流水検知装置内部へ貫通するロッドを突設し、ロッドの先端に前記連通口を閉鎖可能なディスクを設けて、シリンダー内に加圧流体を導入することで該ディスクにより連通口を塞ぐことを特徴とする請求項１記載の流水検知装置。
【請求項４】
前記流水検知装置の隔壁を、斜めに設けたことを特徴とする請求項１、２、３記載のいずれかの流水検知装置。
【請求項５】
前記シリンダー内への加圧手段は、流水検知装置の一次側室または一次側配管とシリンダーとを接続する配管を常時閉鎖している切換弁であることを特徴とする請求項２または３記載の流水検知装置。
【請求項６】
前記切換弁は、通電時に流水検知装置の一次側室または一次側配管とシリンダーとが通水可能に切換わる構造であることを特徴とする請求項５記載の流水検知装置。
【請求項７】
前記シリンダー内への加圧手段の起動は、前記流水検知装置が流水を検知したときに火災感知器の作動信号がない場合に起動されることを特徴とする請求項２または３記載の流水検知装置。
【請求項８】
前記流水検知装置において、加圧手段を起動した後に火災感知器から火災信号が出力され、弁体の弁座着座状態を解除した際、流体の一次側から二次側への流入により生じる現象が検出されなかった場合には異常警報を出力することを特徴とする請求項７記載の流水検知装置。
【発明の詳細な説明】
【技術分野】
【０００１】
本発明は、スプリンクラーヘッドが接続された配管内に消火水が充填されている湿式のスプリンクラー設備に関するものである。
【背景技術】
【０００２】
従来において閉鎖型スプリンクラーヘッドを備えるスプリンクラー消火設備は、スプリンクラーヘッドが設置された配管に消火水を充填した湿式スプリンクラー設備が一般的に用いられている。その他に凍結防止の目的で前記配管内に気体を充填した乾式スプリンクラー設備と、スプリンクラーヘッドと火災感知器の両方が作動した場合に消火水を散布する予作動式スプリンクラー設備とがある。
【０００３】
湿式スプリンクラー設備（以下、「スプリンクラー設備」とする）は、コスト面においても他の２つより経済的である。しかしスプリンクラーヘッドが火災時以外に衝撃を受ける等して放水してしまった場合、室内が水浸しになり水損被害が発生することになる。
【０００４】
そこで上記のスプリンクラー設備に、放水停止スイッチの操作によってスプリンクラーが設置されている配管、いわゆる二次側配管への消火水の流路を閉止する遮断手段を設けた流水検知装置がある（例えば、特許文献１参照。）。
【０００５】
具体的には、図８に示す調圧手段を有する流水検知装置において流水検知装置の弁体が一次側室に配備され、前記調圧手段により弁体の開度が調整される。遮断手段である電動弁５１を閉止して調圧手段を作用させなくすると、弁体は一次側から水圧を受ける面積が二次側から水圧を受ける面積よりも大きいので弁体が弁座に着座し、二次側への給水が停止するものである。
【０００６】
また、スプリンクラーヘッドが衝撃等によって開放した場合に、散水を停止させる遮断手段を設けて、該遮断手段を、常時は開状態にあり二次側配管の減圧信号等を受信する受信盤からの信号を受けて閉止する電動弁で構成したものがある（例えば、特許文献２参照。）。
【０００７】
さらに、遮断手段として配管上に常時開状態にある電動弁を流水検知装置と直列に設置し、遮断手段の起動を、スプリンクラーヘッドの作動に伴う流水検知信号を受けた際に、火災検出装置からの火災信号がない場合に起動させるものがある（例えば、特許文献３参照。）。
【０００８】
【特許文献１】特開平６−１０５９２４号公報  （第３−４頁、第１図）
【特許文献２】特許第３２０５８８３号公報  （第３−４頁、第１図）
【特許文献３】特開平１０−５３６５号公報  （第３−７頁、第１図、第５図）
【発明の開示】
【発明が解決しようとする課題】
【０００９】
上記のスプリンクラー設備を新築のビル等に設置するには何ら支障は無いが、既存の建物に設置されているスプリンクラー設備に代えて設置しようとすると以下の問題が発生する。
【００１０】
特許文献１および２に記載されたスプリンクラー設備の遮断手段は、電動弁の開放または閉止によって流水検知装置の弁体を閉止し二次側への給水を停止するものであるが、流水検知装置の構造が複雑でありコスト高となり、また故障等によるメンテナンスにも手間がかかるものであった。
【００１１】
さらに、流水検知装置内部の流路がＳ字状に湾曲しており、既設のスプリンクラー設備の大部分に使用されている軸支された弁体が回動するスイング式の構造の流水検知装置よりも、流れの抵抗いわゆる圧力損失が大きくなってしまう。
【００１２】
上記の圧力損失の値が、既設のスプリンクラー設備の設計値より超えた場合、二次側配管の容積を減らしたり、または口径が一つ上のサイズの流水検知装置を設置しなければならなくなり、二次側配管等の改修工事が必要となる。
【００１３】
特許文献３に記載されたスプリンクラー消火設備においては、流水検知装置の他に遮断手段が別途配管上に設置されることから、遮断手段である電動弁の設置スペースが必要となり、配管の改修工事をしなければならない。
【００１４】
また、上記の特許文献に記載されている電動弁が何らかの異常により不作動状態となった場合、二次側配管への給水を停止することができず、電動弁の故障に気付くのが遅れる程、水損被害によって多大な損害が発生してしまう。
【００１５】
そこで本発明では、構造がシンプルで安価であり、消火水の供給遮断手段の設置スペースを給水配管上に必要としないで、既設のスプリンクラー設備に設置されている流水検知装置と簡単に交換でき、また二次側への通水を停止する遮断手段の異常を監視可能な流水検知装置の提供を目的としている。
【課題を解決するための手段】
【００１６】
上記の目的を達成するために、請求項１記載の発明は、湿式の消火設備に設けられる開閉弁であって、その内部は給水側に接続される一次側室と、スプリンクラーヘッド側に接続される二次側室とが隔壁によって仕切られており、隔壁には連通口が穿設され、該連通口には開閉自在な弁体が載置されており、流体が一次側から二次側へ流することで生じる現象を検出して流水を検知する流水検知装置において、スプリンクラーヘッドが誤作動した際に、設備配管内の水圧力を利用して前記弁体を閉位置に強制固定させて前記スプリンクラーヘッドへの給水を遮断する遮断手段が設けられた流水検知装置である。
【００１７】
請求項２記載の発明は、前記流水検知装置の遮断手段が、流水検知装置の弁体の開閉動作の軌道上または軌道延長上に設けたピストンと、該ピストンが内部を摺動自在であり、壁面に外部に連通する小孔を有するシリンダーと、シリンダー内への加圧手段から構成し、シリンダー内に加圧流体を導入することでピストンを弁体に作用させ、弁体を弁座に着座させる請求項１記載の流水検知装置である。
【００１８】
請求項３記載の発明は、前記流水検知装置の遮断手段が、流水検知装置の弁体の開閉動作の軌道上または軌道延長上に設けたピストンと、該ピストンが内部を摺動自在であり、壁面に外部に連通する小孔を有するシリンダーと、シリンダー内への加圧手段から構成し、シリンダー内に設置されたピストンに流水検知装置内部へ貫通するロッドを突設し、ロッドの先端に前記連通口を閉鎖可能なディスクを設けて、シリンダー内に加圧流体を導入することで該ディスクにより連通口を塞ぐ請求項１記載の流水検知装置である。
【００１９】
請求項４記載の発明は、前記流水検知装置の隔壁を、斜めに設けた請求項１、２、３記載のいずれかの流水検知装置である。
【００２０】
請求項５記載の発明は、前記シリンダー内への加圧手段が、流水検知装置の一次側室または一次側配管とシリンダーとを接続する配管を常時閉鎖している切換弁である請求項２または３記載の流水検知装置である。
【００２１】
請求項６記載の発明は、前記切換弁が、通電時に流水検知装置の一次側室または一次側配管とシリンダーとが通水可能に切換わる構造である請求項５記載の流水検知装置である。
【００２２】
請求項７記載の発明は、前記シリンダー内への加圧手段の起動が、前記流水検知装置が流水を検知したときに火災感知器の作動信号がない場合に起動される請求項２または３記載の流水検知装置である。
【００２３】
請求項８記載の発明は、前記流水検知装置において、加圧手段を起動した後に火災感知器から火災信号が出力され、弁体の弁座着座状態を解除した際、流体の一次側から二次側への流入により生じる現象が検出されなかった場合には異常警報を出力する請求項７記載の流水検知装置である。
【発明の効果】
【００２４】
本発明によれば、スプリンクラーヘッドが設けられた二次側配管への給水を停止する遮断手段を設けた流水検知装置において、シリンダー内を摺動するピストンにより弁体を閉止させたり、あるいは一次側室と二次側室とを連通する連通口を塞ぐシンプルな構成にしたことで遮断手段を有する安価な流水検知装置を提供することができる。
【００２５】
また、上記流水検知装置内の隔壁を斜めに設けたことで、消火水の流れの抵抗を低減させ、既設の湿式スプリンクラー設備に設置されている流水検知装置に代わって設置することが可能である。
【００２６】
本発明の流水検知装置を設けたスプリンクラー設備に、スプリンクラーヘッドの近傍に火災感知器を設置して、火災感知器の出力信号と流水検知信号により遮断手段を制御することも可能である。
【００２７】
また、遮断手段が起動された状態で火災感知器から火災信号を受信した場合に、遮断手段が解除され二次側に給水が再開したかどうかを検知し、異常が発生した場合には警報が出力される。
【００２８】
以上のように、水損被害を低減させ、かつ信頼性の高い湿式スプリンクラー設備を提供することが可能である。
【実施例１】
【００２９】
本発明の実施例１の流水検知装置が設けられたスプリンクラー設備は、水源１、給水装置２、流水検知装置３、スプリンクラーヘッド４、火災感知器５、信号制御装置６から構成される。
【００３０】
水源１は、消火水を貯蔵しておく水槽であり、給水装置２は配管７に水源１から消火水を汲み上げ、配管７に接続されたスプリンクラーヘッド４へ供給するための装置である。警戒時において配管７は末端のスプリンクラーヘッド４まで消火水が充填されている。なお、水源１および給水装置２のかわりに家庭用の水道設備を使用することも可能である。
【００３１】
流水検知装置３は、弁箱内部が隔壁８により一次側室Ｉと二次側室ＩＩに仕切られており、隔壁８には一次側室Ｉと二次側室ＩＩを連通する連通口９が穿設されている。
【００３２】
連通口９の周面に水平溝を刻設しておき、シートリング１０を連通口９に装着させる。連通口９とシートリング１０との境に前述の水平溝から成る空間が形成され、これを中間室１１とする。
【００３３】
シートリング１０は円筒形状をしており、周壁の上端の弁座面から外周に貫通する孔１２が穿設されており、該孔１２はシートリング１０を連通口９に装着した際に弁座面から中間室１１に通じる流路となる。
【００３４】
中間室１１は弁箱外部に続く配管１３に設けられた圧力スイッチ１４と接続されており、弁座面の上に設置される弁体１５が開放されると、孔１２に消火水が流入して該消火水は孔１２を通って中間室１１流れ込み、さらに配管１３の途中に設けた圧力スイッチ１４に到達して消火水の水圧により圧力スイッチ１４が作動する。
【００３５】
弁体１５は二次側室ＩＩ内に設置され警戒時においては弁座に着座している。二次側室ＩＩの消火水がスプリンクラーヘッド４の作動により外部に流出すると、二次側室ＩＩ内が減圧することから一次側室Ｉの消火水が弁体１５を押上げて二次側室ＩＩへ流入することにより弁体１５が開放される。
【００３６】
弁体１５の弁座面と反対の面には、棒状のステム１６が突設され、該ステム１６は二次側室ＩＩの上部に設けられたシリンダー１７内を通り、弁箱外部に貫通して設けられている。
【００３７】
ステム１６の途中には段部１８が形成され、外部に突出する側の軸径が弁体１５側の軸径よりも小径となっている。ステム１６の小径側には皿状のピストン１９が貫通されて設けられている。
【００３８】
ピストン１９は筒状のシリンダー１７内を摺動可能であり、シリンダー１７内はピストン１９によって上室２０と下室２１とに分けられる。上室２０には三方弁２２が設けられた配管と接続している。下室２１は二次側室ＩＩとの境付近に排水管２３に通じる孔２４が穿設されている。
【００３９】
三方弁２２は電気的制御により流路を変更可能であり、ａ、ｂ、ｃの接続口を有する。ａの接続口は前述のシリンダー１７の上室２０と接続されている。ｂの接続口は前述の排水管２３に接続され、警戒時の通電していない状態においてはａとｂの接続口が開いており流体の通過が可能である。
【００４０】
接続口ｃは一次側室Ｉから消火水を取出した配管２５が接続されている。接続口ｃは警戒時において閉鎖されている。
【００４１】
三方弁２２に通電すると、接続口ａ、ｃが通水可能となる。三方弁２２の機構として、電磁弁を利用したり、スプリングリターン式の電動弁が利用できる。
【００４２】
上記構造の流水検知装置３に、一次側室Ｉから二次側室ＩＩへの通水のみ可能な補助給水手段を設けることも可能であり、具体的には、弁体１５に一次側室Ｉから二次側室ＩＩへ通水可能な逆止弁を設けたり、あるいは一次側室Ｉと二次側室ＩＩとを接続する配管を設け、該配管上に前述の逆止弁を設けてもよい。
【００４３】
上記構造の流水検知装置以外にも、弁体が開放することにより流水を検知する構造、例えば弁体の動きをリミットスイッチ等で検出したり、前記中間室のかわりに実開昭５５−１４８６４５号公報に記載されているパイロット弁を用いた構造にすることも可能である。
【００４４】
スプリンクラーヘッド４は、内部に弁体を支持している感熱作動機構を有しており、火災の熱によって感熱作動機構が作動して弁体を開放させ、二次側ＩＩの配管内の消火水を散布するものである。
【００４５】
火災感知器５は、火災の熱や煙等によって火災を感知し、火災信号を出力するものである。火災感知器５は、スプリンクラーヘッド４の作動よりも早く作動するタイプのものを使用するのが好ましい。
【００４６】
信号制御装置６は、流水検知装置３の圧力スイッチ１４の作動による流水信号と、火災感知器５の作動による火災信号を受け、各々の信号状態によって給水装置２の起動信号を出力したり、流水検知装置３の通水遮断手段の三方弁２２を作動させる等するものである。
【００４７】
次に実施例１の流水検知装置が設けられたスプリンクラー設備の作動について説明する。
【００４８】
火災が発生すると、火災感知器５が作動して信号制御装置６に火災信号を出力する。火災感知器５の作動に続いてスプリンクラーヘッド４が作動すると、二次側室ＩＩと接続している配管内の消火水がスプリンクラーヘッド４より噴出する。
【００４９】
スプリンクラーヘッド４の作動によって二次側室ＩＩに接続された配管内は減圧するので、流水検知装置３の弁体１５にかかる力は、一次側室Ｉよりかかる圧力が二次側室ＩＩの圧力を上回るので、弁体１５が少し開方向へ移動し、スプリンクラーヘッドの作動分の流量が流れる程度に開き、一次側室Ｉより二次側室ＩＩへ消火水が流れ込む。
【００５０】
と同時に、弁座に穿設された孔１２内にも消火水が流れ込み、穴１２から外部へ続く配管１３を通り、配管１３の途中に設けられた圧力スイッチ１４に消火水が到達し、消火水の圧力によって圧力スイッチ１４が作動して信号制御装置６に流水信号を出力する。
【００５１】
信号制御装置６は、圧力スイッチ１４より流水信号を受信した際、前述の火災感知器５による火災信号が出力されていれば、給水装置２を起動させて水源１より消火水を汲み上げ、二次側室ＩＩと接続した配管に設けられたスプリンクラーヘッド４に消火水を供給する。
【００５２】
給水装置２の起動により、配管７から一次側室Ｉを通って加圧された消火水が送られてくるので、弁体１５は全開位置まで移動する。送水された消火水はスプリンクラーヘッド４より散布され火災を鎮圧・消火するものである。
【００５３】
続いて、スプリンクラーヘッド４が火災時以外に誤作動した場合について説明する。
【００５４】
スプリンクラーヘッド４が作動すると、前述のように流水検知装置３の弁体１５がスプリンクラーヘッドの作動分の流量が流れる程度に開き、流水信号が信号制御装置６へ出力される。
【００５５】
そのとき、信号制御装置６に火災感知器５より火災信号が入力されていない場合、信号制御装置６は三方弁２２に信号を送り接続口ａとｃを開放してｂを閉鎖し、シリンダー１７の上室２０へ一次側室Ｉの消火水を流入させる。
【００５６】
ピストン１９は上室２０内に流入してきた消火水の圧力によりステム１６の段部１８を係止した状態で弁体１５側に移動する。下室２１内の空気は孔２４を通って排水管２３へ抜けてゆく。ステム１６と固定された弁体１５は弁座に着座し、一次側室Ｉから二次側室ＩＩへの通水を遮断して、スプリンクラーヘッド４の誤作動による水損被害を低減させるものである。
【００５７】
遮断手段が作動したままの状態で火災が発生した場合、火災感知器５により火災が検知されて火災信号が出力されると、火災警報が発せられるとともに、三方弁２２の接続口ｃが閉鎖され、ａとｂが開放されて通水可能な状態となり、シリンダー１７内の消火水が排水される。
【００５８】
ここで二次側ＩＩの圧力は、スプリンクラーヘッドが既に作動している状態なので大気圧に略等しく、一次側Ｉ内の消火水の圧力よりも低圧になっているので、弁体１５が開いて一次側Ｉから二次側ＩＩへ消火水が流れる。
【００５９】
弁体１５の開放によって、弁座に穿設された孔１２内にも消火水が流れ込み、穴１２と接続している圧力スイッチ１４に消火水が到達し、消火水の圧力によって圧力スイッチ１４が作動して信号制御装置６に流水信号を出力する。
【００６０】
該流水信号によって、弁体１５が開放されて二次側ＩＩに消火水が供給されていると判断できる。
【００６１】
あるいは、火災感知器５の作動信号によって三方弁２２の流路を切換え、シリンダー１７内の消火水を排出したにも関わらず、信号制御装置６に流水信号が通知されなかった場合には、何らかの不具合が発生したと判断し、異常警報を出力して人手により手動弁Ｖ１、Ｖ２を操作してシリンダー１７内への給水を停止し、シリンダー１７内の消火水を排出させて弁体１５を開放して一次側Ｉから二次側ＩＩへの給水を行う。
【００６２】
一方、三方弁２２に通電したままの状態で火災感知器５の作動が無かった場合には、人間によって流水検知装置３およびスプリンクラーヘッド４等の確認を行った後、問題が無ければ復旧を行う。
【００６３】
また、図５に示すように一次側室Ｉと二次側室ＩＩとを仕切る隔壁８を斜めに設けて上記機構の流水検知装置を構成すると、一次側室Ｉから二次側室ＩＩへ流れる消火水の圧力損失を低くすることができる。
【実施例２】
【００６４】
次に実施例２について図６を参照して説明する。図６は実施例２の流水検知装置の警戒時における断面図である。なお、実施例２の流水検知装置が設置されるスプリンクラー設備の構成は、実施例１で説明した設備と同様である。
【００６５】
図６に示す実施例２の流水検知装置は、軸支された弁体が回動する構造のスイング式の弁体を有する流水検知装置である。なお、実施例１と構造が同じ箇所については同符号を付し、説明は省略する。
【００６６】
実施例２の流水検知装置は、弁箱内部が斜めの隔壁３０により一次側室Ｉと二次側室ＩＩとに分けられている。二次側室ＩＩの隔壁３０の近傍に軸受３１を設け、弁体３２に設けた軸受３３および軸受３１に弁棒３４を貫通させ、弁体３２が回動自在に構成されている。
【００６７】
弁体３２が着座する隔壁３０の弁座面には孔３５が穿設され、該孔３５は外部へと通じる配管１３と中間室１１を介して接続され、配管１３の途中には圧力スイッチ１４が設けられている。
【００６８】
弁体３２は警戒時において一次側室Ｉの消火水と二次側ＩＩの消火水の圧力が等しいので閉止状態にあり、孔３５に消火水は流入してこない状態である。
【００６９】
弁体３２の開放動作の軌道上にはシリンダー１７と二次側室ＩＩとの隔壁３６を貫通してピストン１９に固定されたロッド３７が突出して設けられている。
【００７０】
シリンダー１７は二次側室ＩＩの上部に設けられ内部は筒状であり、シリンダー１７内を摺動可能なピストン１９により上室２０と下室２１に分けられている。下室２１には警戒時にピストン１９に設けたロッド３７が弁体３２の開放動作を阻害しないように、ピストン１９をシリンダー１７の上室側２０へ支持するバネ３８が設けられている。
【００７１】
続いて実施例２の流水検知装置の作動について説明する。火災時のスプリンクラーヘッドの作動による流水検知装置の動作は実施例１と同様なので説明は省略する。
【００７２】
スプリンクラーヘッドが誤作動した場合、スプリンクラーヘッド４から消火水が流出すると流水検知装置の弁体３２が、スプリンクラーヘッドの作動分の流量が流れる程度に開き、流水信号が信号制御装置６へ出力される。
【００７３】
そのとき、信号制御装置６に火災感知器５より火災信号が入力されていない場合、信号制御装置６は三方弁２２に信号を送り接続口ａとｃを開放してｂを閉鎖し、シリンダー１７の上室２０へ一次側室Ｉの消火水を流入させる。
【００７４】
ピストン１９は上室２０内に流入してきた消火水の圧力により下室２１側に移動する。下室２１内の空気は孔２４を通って排水管２３へ抜けてゆく。ピストン１９から突設されたロッド３７は、隔壁３６より二次側室ＩＩへさらに突出し、ロッド３７の先端が開放状態にある弁体を押圧して弁座に着座させ、一次側室Ｉから二次側室ＩＩへの通水を遮断して、スプリンクラーヘッド４の誤作動による水損被害を低減させるものである。
【実施例３】
【００７５】
次に実施例３の流水検知装置について図７を参照して説明する。図７は実施例３の流水検知装置の警戒時における断面図である。なお、実施例１と構成が同じ箇所については同符号を付して説明は省略する。
【００７６】
図７に示す実施例３の流水検知装置は、二次側室ＩＩへの通水遮断手段として、一次側室Ｉと二次側室ＩＩとの境の隔壁８の弁座面と反対の面から連通口９を塞ぐディスク４０を設けたものである。
【００７７】
流水検知装置は、弁体１５と弁座との接触面と反対側にディスク４０および一次側室Ｉの下部にシリンダー１７を設け、シリンダー１７内には前述のピストン１９を設け、該ピストン１９とディスク４０とをステム４１で固定接続する。
【００７８】
シリンダー１７内はピストン１９により上室４２と下室４３に分けられる。上室４２は一次側室Ｉとの境付近に配水管２３に通じる孔２４が穿設されており、下室４３は前述の三方弁２２が設けられた配管と接続している。
【００７９】
上室４２には警戒時にピストン１９と固定設置されたディスク４０が弁箱内の流れを阻害しないように、ピストン１９をシリンダー１７の下室側４３へ支持するバネ４４が設けられている。
【００８０】
続いて実施例３の流水検知装置の作動について説明する。火災時のスプリンクラーヘッドの作動による流水検知装置の動作は実施例１と同様なので説明は省略する。
【００８１】
スプリンクラーヘッドが誤作動した場合、スプリンクラーヘッド４から消火水が流出すると流水検知装置の弁体１５が、スプリンクラーヘッドの作動分の流量が流れる程度に開き、流水信号が信号制御装置６へ出力される。
【００８２】
そのとき、信号制御装置６に火災感知器５より火災信号が入力されていない場合、信号制御装置６は三方弁２２に信号を送り接続口ａとｃを開放してｂを閉鎖し、シリンダー１７の下室４３へ一次側室Ｉの消火水を流入させる。
【００８３】
ピストン１９は下室４３内に流入してきた消火水の圧力により上室４２側に移動する。上室４２の空気は孔２４を通って排水管２３へ抜けてゆく。ピストン１９に固定設置されたディスク４０は、一次側室Ｉと二次側室ＩＩとの隔壁８側へ移動し、シートリングの下面に着座することでディスク４０が連通口９を塞ぎ、一次側室Ｉから二次側室ＩＩへの通水を遮断して、スプリンクラーヘッド４の誤作動による水損被害を低減させるものである。
【図面の簡単な説明】
【００８４】
【図１】実施例１の流水検知装置が設けられたスプリンクラー設備の系統図
【図２】警戒時の流水検知装置の断面図
【図３】作動時の流水検知装置の断面図
【図４】遮断手段を作動させた場合の流水検知装置の断面図
【図５】隔壁を斜めに設けた実施例１の流水検知装置の断面図
【図６】実施例２の流水検知装置の警戒時における断面図
【図７】実施例３の流水検知装置の警戒時における断面図
【図８】従来の流水検知装置が設けられたスプリンクラー設備の系統図
【符号の説明】
【００８５】
３  流水検知装置
４  スプリンクラーヘッド
５  火災感知器
９  連通口
１４  圧力スイッチ
１５  弁体
１７  シリンダー
１９  ピストン
２２  三方弁
【図１】
2004243105.tif 000003
【図２】
2004243105.tif 000004
【図３】
2004243105.tif 000005
【図４】
2004243105.tif 000006
【図５】
2004243105.tif 000007
【図６】
2004243105.tif 000008
【図７】
2004243105.tif 000009
【図８】
2004243105.tif 000010